(57)【特許請求の範囲】
【請求項１】
手作業による製品評価に際して発見された不具合を動画撮影するための電気スタンド型カメラ装置であって、
台座部と、
前記台座部から上方に向かって延びるアーム部と、
前記アーム部の先端に設けられる光源と、
前記アーム部の先端に設けられ、前記光源の照射方向に沿って延びる撮像光軸を有しかつ動画撮影するよう構成されたカメラ部と、
前記台座部に設けられ、前記カメラ部による動画撮影を制御するトリガスイッチと、
前記光源に電源を投入するための電源スイッチと、を備え、
前記トリガスイッチは、上下方向に押下されるボタンスイッチとして構成され、
前記電源スイッチは、水平方向に押下されるように構成され、
前記トリガスイッチが操作されるたびに、前記カメラ部による撮影内容を記録した動画ファイルを保存する
ことを特徴とする電気スタンド型カメラ装置。
【請求項２】
請求項１に記載された電気スタンド型カメラ装置において、
使用者の脚部によって操作され、前記カメラ部による動画撮影を制御するペダルスイッチを備える
ことを特徴とする電気スタンド型カメラ装置。
【請求項３】
請求項１又は２に記載された電気スタンド型カメラ装置において、
音声が入力される音声入力部と、
前記音声入力部への音声入力に基づいて、前記カメラ部による動画撮影を制御する制御部と、を備える
ことを特徴とする電気スタンド型カメラ装置。
【請求項４】
請求項１から３のいずれか１項に記載された電気スタンド型カメラ装置において、
前記光源は、複数のＬＥＤ光源からなり、
前記複数のＬＥＤ光源は、前記撮像光軸を取り囲むように配置される
ことを特徴とする電気スタンド型カメラ装置。
【請求項５】
請求項１から４のいずれか１項に記載された電気スタンド型カメラ装置において、
前記台座部に設けられ、使用者による入力を受け付ける情報入力部をさらに備え、
前記情報入力部への入力に基づいて、前記動画ファイル毎に情報を紐付ける
ことを特徴とする電気スタンド型カメラ装置。
【請求項６】
請求項１から５のいずれか１項に記載された電気スタンド型カメラ装置と、
前記電気スタンド型カメラ装置と電気的に接続され、使用者による入力を受け付ける外部端末と、を備え、
前記外部端末への入力に基づいて、前記カメラ部による動画撮影を制御する
ことを特徴とする記録システム。
【発明の詳細な説明】
【技術分野】
【０００１】
ここに開示する技術は、電気スタンド型カメラ装置及び記録システムに関する。
【背景技術】
【０００２】
電気スタンドとカメラを一体化した装置の一例として、下記特許文献１には、机上を照らすための光源と、机上の照度分布を検出するデスクカメラと、を備えた照明装置が開示されている。前記特許文献１に係る照明装置は、デスクカメラにより得られたデスク画像等に基づいて、照度分布の分散を最小にする光源の位置を算出することができる。
【先行技術文献】
【特許文献】
【０００３】
【特許文献１】国際公開第２０１６／１１７５９３号
【発明の概要】
【発明が解決しようとする課題】
【０００４】
本願発明者らは、例えば手作業による製品評価において不具合を発見した際に、その不具合を正確に再現するために、作業者の手元を動画撮影することを考えた。より明瞭な動画を得るためには、作業者の手元を照らしながら撮影することが考えられる。その場合、天井に吊り下げられる照明器具のように、作業者から離れた位置から光を照射してしまっては、作業者の頭部等によって手元が隠れてしまい不都合である。
【０００５】
そこで、前記特許文献１に記載されているように、電気スタンドとカメラを一体化した電気スタンド型カメラ装置を用いることで、作業者の近傍から光を照射しつつ動画撮影することが考えられる。
【０００６】
ところで、前述のような不具合を発見した際には、その発見前後の作業を記録した動画ファイルを装置の内外に保存するために、作業者の意思で動画撮影を制御する必要がある。その場合、作業者の意思をスムースに反映させるためには、単に電気スタンドとカメラを一体化するばかりでなく、動画撮影を最小限の動作で制御するための工夫が必要となる。
【０００７】
ここに開示する技術は、かかる点に鑑みてなされたものであり、その目的とするところは、電気スタンド型カメラ装置において、作業者の意思に応じて動画撮影をスムースに制御することにある。
【課題を解決するための手段】
【０００８】
本開示は、電気スタンド型カメラ装置に係る。この電気スタンド型カメラ装置は、台座部と、前記台座部から上方に向かって延びるアーム部と、前記アーム部の先端に設けられる光源と、前記アーム部の先端に設けられ、前記光源の照射方向に沿って延びる撮像光軸を有しかつ動画撮影するよう構成されたカメラ部と、前記台座部に設けられ、前記カメラ部による動画撮影を制御するトリガスイッチと、を備える。
【０００９】
本開示に係る電気スタンド型カメラ装置は、台座部から延ばしたアーム部の先端に光源を設けることで、いわゆる電気スタンドの如く機能すると同時に、その先端にカメラ部を設けることで、電気スタンドと一体化されたカメラ装置としても機能する。
【００１０】
そして、前記の構成によれば、光源の照射方向に沿ってカメラ部の撮像光軸を延ばすことで、カメラ部の撮像範囲に向けて光を照射することができる。そのことで、撮影範囲を照らしながら動画撮影することができ、作業を明瞭に記録することができるようになる。また、光源とカメラ部を双方ともアーム部の先端に設けることで、光源の照射範囲とカメラ部の撮像範囲とのズレを低減することもできる。
【００１１】
さらに、前記の構成によれば、カメラ部の近傍にトリガスイッチを設けるのではなく台座部にトリガスイッチを設けることで、アーム部を介してカメラ部が位置調整された状態にあっても、カメラ部の配置に関係なく、例えば手探りでトリガスイッチを操作することができるようになる。これにより、撮影制御に要する操作を容易かつ速やかに行うことができ、作業者の意思に応じて動画撮影をスムースに制御することができるようになる。
【００１２】
本開示は、前記電気スタンド型カメラ装置とは別の電気スタンド型カメラ装置にも係る。この電気スタンド型カメラ装置は、台座部と、前記台座部から上方に向かって延びるアーム部と、前記アーム部の先端に設けられる光源と、前記アーム部の先端に設けられ、前記光源の照射方向に沿って延びる撮像光軸を有しかつ動画撮影するよう構成されたカメラ部と、使用者の脚部によって操作され、前記カメラ部による動画撮影を制御するトリガスイッチと、を備える。
【００１３】
本開示に係る電気スタンド型カメラ装置は、台座部から延ばしたアーム部の先端に光源を設けることで、いわゆる電気スタンドの如く機能すると同時に、その先端にカメラ部を設けることで、電気スタンドと一体化されたカメラ装置としても機能する。
【００１４】
そして、前記の構成によれば、光源の照射方向に沿ってカメラ部の撮像光軸を延ばすことで、カメラ部の撮像範囲に向けて光を照射することができる。そのことで、撮影範囲を照らしながら動画撮影することができ、作業を明瞭に記録することができるようになる。また、光源とカメラ部を双方ともアーム部の先端に設けることで、光源の照射範囲とカメラ部の撮像範囲とのズレを低減することもできる。
【００１５】
さらに、前記の構成によれば、カメラ部の近傍にトリガスイッチを設けるのではなく、使用者の足元にトリガスイッチを設けることで、アーム部を介してカメラ部が位置調整された状態にあっても、カメラ部の配置に関係なく、トリガスイッチを速やかに操作することができるようになる。これにより、撮影制御に要する操作を容易かつ速やかに行うことができ、作業者の意思に応じて動画撮影をスムースに制御することができるようになる。
【００１６】
さらに、前記の構成によれば、使用者の脚部によって操作されるようにトリガスイッチを構成することで、例えば両手で作業を行っている状態であっても、その作業を中断することなくトリガスイッチを操作することができる。
【００１７】
なお、「使用者の脚部による操作」の語には、使用者の足先による操作、使用者の下腿による操作、及び使用者の上腿による操作のいずれも含まれる。
【００１８】
また、前記電気スタンド型カメラ装置は、音声が入力される音声入力部と、前記音声入力部への音声入力に基づいて、前記カメラ部による動画撮影を制御する制御部と、を備える、としてもよい。
【００１９】
この構成によれば、トリガスイッチを操作せずとも、作業者の発声によって動画撮影を制御することができる。これにより、より少ない動作で動画撮影を制御することができ、作業者の意思に応じて動画撮影をスムースに制御する上で有利になる。
【００２０】
また、前記光源は、複数のＬＥＤ光源からなり、前記複数のＬＥＤ光源は、前記撮像光軸を取り囲むように配置される、としてもよい。
【００２１】
この構成によれば、ＬＥＤ光源を用いることで照射光の指向性が高くなる。これにより、光源の照射範囲とカメラ部の撮像範囲とのズレをさらに抑制することができ、ひいては、カメラ部の撮像範囲を作業者に視認させる上で有利になる。
【００２２】
さらに、前記の構成によれば、撮像光軸を取り囲むようにＬＥＤ光源を配置することで、ＬＥＤ光源の照射範囲とカメラ部の撮像範囲を略一致させることができる。これにより、撮像範囲を作業者に視認させる上で有利になる。
【００２３】
また、前記電気スタンド型カメラ装置は、前記トリガスイッチが操作されるたびに、前記カメラ部による撮影内容を記録した動画ファイルを保存する、としてもよい。
【００２４】
なお、動画ファイルの保存先は、電気スタンド型カメラ装置の内部に設けた記録媒体（例えば、フラッシュメモリ）でもよいし、電気スタンド型カメラ装置の外部に設けた装置（例えば、パーソナル・コンピュータ）でもよい。
【００２５】
この構成によれば、カメラ部による撮影内容を容易に管理することができる。
【００２６】
また、前記電気スタンド型カメラ装置は、前記台座部に設けられ、使用者による入力を受け付ける情報入力部をさらに備え、前記情報入力部への入力に基づいて、前記動画ファイル毎に情報を紐付ける、としてもよい。
【００２７】
この構成によれば、使用者としての作業者による動画ファイルの使い勝手を向上させることができる。
【００２８】
また、本開示は、記録システムにも係る。この記録システムは、前記電気スタンド型カメラ装置と、前記電気スタンド型カメラ装置と電気的に接続され、使用者による入力を受け付ける外部端末と、を備え、前記外部端末への入力に基づいて、前記カメラ部による動画撮影を制御する。
【００２９】
この構成によれば、外部端末を介して動画撮影を制御することができるため、使用者としての作業者による電気スタンド型カメラ装置の使い勝手を向上させることができる。
【発明の効果】
【００３０】
以上説明したように、前記電気スタンド型カメラ装置によれば、作業者の意思に応じて動画撮影をスムースに制御することができる。
【図面の簡単な説明】
【００３１】
【図１】図１は、記録システムの構成を概略的に例示する図である。
【図２】図２は、電気スタンド型カメラ装置を例示する斜視図である。
【図３】図３は、アーム部の先端を下方から見て例示する図である。
【図４】図４は、電気スタント型カメラ装置の構成を例示するブロック図である。
【図５】図５は、動画ファイルの編集画面を例示する図である。
【図６】図６は、電気スタント型カメラ装置の変形例を示す図２対応図である。
【図７】図７は、変形例に係るアーム部の先端を例示する図３対応図である。
【発明を実施するための形態】
【００３２】
以下、本開示の実施形態を図面に基づいて説明する。なお、以下の説明は例示である。
【００３３】
＜システム構成＞
図１は、記録システムＳの全体構成を例示する図である。図１に例示するように、本実施形態に係る記録システムＳは、１つ以上の電気スタンド型カメラ装置（以下、単に「カメラ装置」という）１と、カメラ装置１毎に設けられた１つ以上のクライアント端末１０１と、各クライアント端末１０１との間でデータを送受するファイルサーバ１０２と、ファイルサーバ１０２との間でデータを送受する開発端末１０３と、を備えている。
【００３４】
このうち、カメラ装置１及びクライアント端末１０１は、例えば、作業者としてのＱＡ（Quality Assurance）担当者によって用いることができる。一方、開発端末１０３は、開発担当者によって用いることができる。ＱＡ担当者と開発担当者は、ファイルサーバ１０２を介してデータを送受することができる。
【００３５】
カメラ装置１は、例えば製品評価のための手作業等、所定の設置面Ｆ上で行われる作業を動画撮影することができる装置である。カメラ装置１は、その撮影内容を記録した動画ファイルを新たに保存して、その動画ファイルを所定のファイルフォーマットでクライアント端末１０１に送信する。
【００３６】
クライアント端末１０１は、カメラ装置１と電気的に接続され、ＱＡ担当者（使用者）による入力を受け付けるように構成されている。具体的に、本実施形態に係るクライアント端末１０１は、カメラ装置１毎に設けられており、対応するカメラ装置１と有線又は無線で接続されている。各クライアント端末１０１は、各カメラ装置１との間でデータを送受することができる。クライアント端末１０１は、デスクトップコンピュータ、ラップトップ、タブレットコンピュータ等、種々のコンピュータを用いて構成することができる。クライアント端末１０１は、本実施形態における「外部端末」の例示である。
【００３７】
また、記録システムＳは、クライアント端末１０１を介してカメラ装置１を制御することができる。例えば、本実施形態に係る記録システムＳは、クライアント端末１０１への入力（特に、キーボード、ポインティングデバイス等を介した操作入力）に基づいて、カメラ装置１における後述のカメラ部３による動画撮影を制御することができる。
【００３８】
また、前述のように、クライアント端末１０１には動画ファイルが送信される。クライアント端末１０１への入力に基づいて、動画ファイルを編集したり、動画ファイルのファイル名を変更したりすることができる。クライアント端末１０１に送信された動画ファイルは、同端末１０１を介してファイルサーバ１０２にアップロードされる。
【００３９】
ファイルサーバ１０２は、各クライアント端末１０１と有線又は無線で接続されており、各クライアント端末１０１からアップロードされた動画ファイルを集約的に管理する。ファイルサーバ１０２において管理されている動画ファイルは、開発端末１０３によってダウンロードすることができる。
【００４０】
開発端末１０３は、ファイルサーバ１０２有線又は無線で接続されており、ファイルサーバ１０２に集約された動画ファイルをダウンロードし、これを再生することができる。
【００４１】
ここで、本実施形態に係るカメラ装置１は、動画撮影時の操作性等を向上させるために、種々の工夫が施されている。以下、カメラ装置１に施された工夫のうち、動画撮影に係る構成について詳細に説明する。
【００４２】
＜カメラ装置＞
図２は、カメラ装置１を例示する斜視図であり、図３は、アーム部１２の先端１２ａを下方から見て例示する図である。また、図４は、カメラ装置１の構成を例示するブロック図である。
【００４３】
以下の説明において、「上」とは図２における紙面上側を指し、「下」とは図２における紙面下側を指す。他の図においても、これらと対応する方向をそれぞれ「上」及び「下」という。
【００４４】
図２〜図４に例示するように、カメラ装置１は、設置面Ｆ上に設置される台座部１１と、その台座部１１から延びるアーム部１２と、アーム部１２の先端１２ａに設けられる光源２及びカメラ部３と、台座部１１に設けられるトリガスイッチ４と、を備えている。
【００４５】
このうち、台座部１１は、設置面Ｆ上に載置可能な板状に構成されている。詳しくは、本実施形態に係る台座部１１は、略円板状に形成されており、その外周面からアーム部１２が延びている。また、台座部１１の外周面には、クライアント端末１０１と接続されるＬＡＮケーブルＣ１と、外部電源（不図示）と接続される電源ケーブル（不図示）と、が接続される。
【００４６】
アーム部１２は、台座部１１の外周面から上方に向かって延びている。以下、アーム部１２において、台座部１１と接続される端部を「基端」と呼称し、その「基端」と反対側の端部（上端部）を「先端」と呼称する。以下、アーム部１２の先端に符号「１２ａ」を付す。
【００４７】
詳しくは、本実施形態に係るアーム部１２は、その先端１２ａ側の部位を可逆的に折り曲げることができ、アーム部１２が延びる方向、及び、その先端１２ａが向かう角度を調節することができる。また、アーム部１２の先端１２ａは、略円板状に形成されており、カメラ装置１によって動画を撮影する際には、その下面を設置面Ｆに向けるように調整される。
【００４８】
光源２は、アーム部１２の先端１２ａに設けられ、設置面Ｆを照らすように構成されている。詳しくは、本実施形態に係る光源２は、複数のＬＥＤ光源からなり、カメラ部３における撮像光軸Ａ１を取り囲むように配置される。さらに詳しくは、光源２をなす複数のＬＥＤ光源は、図３に示すように、それぞれ、アーム部１２の先端１２ａにおける下面の周縁部に沿って、周方向に略等間隔で配置される。光源２は、アーム部１２の基端付近に設けた電源スイッチ５を押下することで電源供給を受けて発光し、設置面Ｆに向けて光を照射する。
【００４９】
カメラ部３は、アーム部１２の先端１２ａに設けられ、光源２の照射方向Ａ２に沿って延びる撮像光軸Ａ１を有しかつ設置面Ｆを動画撮影するように構成されている。詳しくは、本実施形態に係るカメラ部３は、アーム部１２の先端１２ａに設けた筐体３０に収容されており、設置面Ｆ上で行われる作業を継続的に動画撮影する。
【００５０】
さらに詳しくは、カメラ部３は、評価対象の製品等からなる被写体を結像する撮像レンズ３１と、被写体の光学像を画像信号に光電変換する撮像素子３２と、画像信号に対して種々の処理を施す信号処理部３３と、を有している。
【００５１】
このうち、撮像レンズ３１は、被写体からの光を集光し、撮像素子３２に入射させる。本実施形態に係る撮像レンズ３１は、アーム部１２の先端１２ａから露出して、そのレンズ面を下方に向けた姿勢で用いられる。撮像レンズ３１のレンズ面を貫く撮像光軸Ａ１は、光源２の照射方向Ａ２と略平行に延びる。
【００５２】
撮像素子３２は、その受光面に配置された複数の画素によって、被写体の光学像を光電変換して電気信号（画像信号）を生成する。具体的に、撮像素子３２は、ＣＣＤイメージセンサ、ＣＭＯＳイメージセンサ等を用いて実現することができる。
【００５３】
信号処理部３３は、撮像素子３２において生成された画像信号に対してＡ／Ｄ変換、ホワイトバランス調整、色分離等の処理を施すよう構成されている。具体的に、信号処理部３３は、ＩＣ（Integrated Circuit）、ＬＳＩ（Large Scale Integration）、ＡＳＩＣ（Application Specific Integration Circuit）等を用いて実現することができる。
【００５４】
カメラ部３には、信号処理部３３により処理された画像信号をフレーム単位で一時的に記録するメモリ６ａと、メモリ６ａに記録された画像信号を継続的に記録する記録媒体６ｂと、がデータ送受可能に接続されている。なお、記録媒体６ｂは必須ではない。記録媒体６ｂを介さずに、画像信号をクライアント端末１０１又はファイルサーバ１０２にアップロードしてもよい。
【００５５】
このうち、メモリ６ａは、例えば、ＤＲＡＭ（Dynamic Random Access Memory）、ＳＤＲＡＭ（Synchronous DRAM）等の揮発性メモリを用いて実現することができる。また、記録媒体６ｂは、フラッシュメモリ等の不揮発性メモリを用いて実現することができる。
【００５６】
カメラ部３は、光源２を発光させるための電源スイッチ５が押下されると作動して、設置面Ｆの動画撮影を開始する。カメラ部３による撮影内容は、後述の動画ファイルとして、メモリ６ａ、記録媒体６ｂ等に保存される。なお、電源スイッチ５が押下されたタイミングではなく、電源ケーブルが外部電源に接続されたタイミングでカメラ部３が動画撮影を開始してもよい。
【００５７】
カメラ部３はまた、制御部１００と電気的に接続されている。カメラ部３による動画撮影は、制御部１００から入力される信号によって制御される。制御部１００は、信号処理部３３と同様に、ＩＣ（Integrated Circuit）、ＬＳＩ（Large Scale Integration）、ＡＳＩＣ（Application Specific Integration Circuit）等を用いて実現することができる。制御部１００と信号処理部３３を一体的に構成してもよい。
【００５８】
本実施形態に係る制御部１００には、トリガスイッチ４、マイクロフォン７、及び前述の光源（ＬＥＤ光源）２が電気的に接続されている。トリガスイッチ４及びマイクロフォン７への入力に基づいて、制御部１００を介して光源２及びカメラ部３を制御することができる。
【００５９】
このうち、トリガスイッチ４は、２種類のスイッチからなる。具体的に、本実施形態に係るカメラ装置１は、トリガスイッチ４として、ボタンスイッチ４１と、ペダルスイッチ４２と、を有している。
【００６０】
このうち、ボタンスイッチ４１は、台座部１１に設けられており、カメラ部３による動画撮影を制御することができる。詳しくは、本実施形態に係るボタンスイッチ４１は、台座部１１の上面中央部に配置されており、上方に向かって突出した押しボタンとして構成されている。
【００６１】
一方、ペダルスイッチ４２は、ＱＡ担当者（使用者）の脚部（例えば、使用者の足先、下腿又は大腿）によって操作されるように構成されており、ボタンスイッチ４１と同様に、カメラ部３による動画撮影を制御することができる。詳しくは、本実施形態に係るペダルスイッチ４２は、使用者の足元に配置されており、その使用者の足先によって操作可能なペダルとして構成されている。ペダルスイッチ４２は、接続ケーブルＣ２を介して制御部１００と電気的に接続されている。
【００６２】
なお、以下の記載のうち、トリガスイッチ４の操作に関連した説明は、ボタンスイッチ４１を操作したときと、ペダルスイッチ４２を操作したときとで共通である。
【００６３】
トリガスイッチ４が操作されると、前述のように、カメラ部３による動画撮影が制御される。詳しくは、トリガスイッチ４が操作されると、制御部１００は、カメラ部３に対して制御信号を入力し、カメラ部３による撮影内容を記録した動画ファイルを保存する。カメラ部３による動画撮影は、トリガスイッチ４が操作された後も、停止されることなく継続される。動画撮影自体は停止されないため、トリガスイッチ４が操作されるたびに、動画ファイルを繰り返し保存することができる。
【００６４】
また、トリガスイッチ４が操作されると、制御部１００は、光源２に対して制御信号を入力し、光源２を点滅させることができる。それに加えて、トリガスイッチ４が操作されると、制御部１００は、スピーカ８に対して制御信号を入力し、スピーカ８からシャッター音を発生させることもできる。
【００６５】
マイクロフォン７は、台座部１１に設けられており、外部から音声（例えば、ＱＡ担当者の声）が入力されるように構成されている。マイクロフォン７に所定音声が入力されると、制御部１００は、マイクロフォン７への音声入力に基づいて制御信号を生成する。制御部１００は、その制御信号をカメラ部３に入力し、カメラ部３による動画撮影を制御する。具体的には、トリガスイッチ４が操作された場合と同様に、マイクロフォン７への音声入力に基づいて動画ファイルが保存される。カメラ部３による動画撮影は、マイクロフォン７に所定音声が入力された後も、停止されることなく継続される。マイクロフォン７は、本実施形態における「音声入力部」の例示である。
【００６６】
また、マイクロフォン７に所定音声が入力されると、トリガスイッチ４が操作された場合と同様に、制御部１００は、光源２を点滅させたり、スピーカ８からシャッター音を発生させたりすることもできる。
【００６７】
前述のように、本実施形態に係る制御部１００は、トリガスイッチ４が操作されるたびに、カメラ部３による撮影内容を記録した動画ファイルを保存する。すなわち、制御部１００は、トリガスイッチ４の操作回数、及び、マイクロフォン７への所定音声の入力回数と同数の動画ファイルを保存するようになっている。
【００６８】
各動画ファイルの再生時間は、トリガスイッチ４が操作されたタイミング、又は、マイクロフォン７に所定音声が入力されたタイミング（以下、これらのタイミングを「トリガタイミング」と総称する）を含んだ所定期間（例えば、トリガタイミング以前の所定期間と、トリガタイミング後の所定期間と、を併せた期間）に設定することができる。また、制御部１００によって保存される動画ファイルには、撮影時刻（トリガタイミングの年月日）を示す画像を埋め込むこともできる。
【００６９】
なお、動画ファイルの保存方法としては、前述のトリガタイミングに関係ない「ループ記録モード」と、トリガタイミングを用いた「トリガーモード」と、のうちのいずれかを選択することができる。この選択は、例えば、クライアント端末１０１によって行うことができる。
【００７０】
ここで、「ループ記録モード」は、所定の撮影期間毎に記録媒体６ｂに撮影内容を繰り返し上書き保存する記録モードである。また、「トリガーモード」は、動画撮影時はメモリ６ａに撮影内容を一時的に保存する一方、トリガスイッチ４等が操作されると、トリガタイミングを含んだ所定期間にわたる撮影内容を記録媒体６ｂに継続的に保存する記録モードである。
【００７１】
そうして保存された動画ファイルは、クライアント端末１０１に送信される。以下、クライアント端末１０１に関連した構成について、詳細に説明する。
【００７２】
＜クライアント端末＞
図５は、動画ファイルの編集画面を例示する図である。本実施形態に係るクライアント端末１０１は、各動画ファイルのサムネイル画像を表示したり、動画撮影に係る設定、及び、動画ファイルの編集を行ったりすることができる。具体的に、クライアント端末１０１では、図５に例示するようなアプリケーションソフトを用いることができる。
【００７３】
そのアプリケーションソフトでは、例えば、各動画ファイルの撮影時間を設定したり、表示画面Ｒ内に撮影内容をリアルタイムで表示させたり、その表示領域Ｒ内に動画ファイルを再生したりすることができる。なお、カメラ装置１にセンサを設けることで、動画ファイルの再生時に、ＱＡ担当者目線になるように動画を回転させることもできる。
【００７４】
また、動画撮影中にボタンＢ１をクリック操作することで、クライアント端末１０１からカメラ部３に制御信号を入力し、カメラ部３による撮影内容を記録した動画ファイルを保存することができる。この場合、ボタンＢ１をクリック操作したタイミングが、前述したトリガタイミングに設定される。また、動画ファイルの再生時にボタンＢ１をクリック操作することで、編集のための編集ポイントを動画ファイルにマーキングすることができる。
【００７５】
また、クライアント端末１０１は、例えば動画撮影後にボタンＢ２を操作することで、各動画ファイルを編集し、メモ書き等の情報を付け加えることができる。クライアント端末１０１は、入力欄Ｂ３に文字入力を行うことで、動画ファイル毎にファイル名を設定することもできる。
【００７６】
前述の如き構成は、図１に例示した複数のクライアント端末１０１の各々について共通である。各クライアント端末１０１上で編集された動画ファイルは、ファイルサーバ１０２にアップロードされる。ここで、動画ファイルの使い勝手を向上させるためには、複数のカメラ装置１に固有の番号（装置ＩＤ）と、各カメラ装置１の制御部１００によって保存された動画ファイルと、を対応付けることが考えられる。
【００７７】
そこで、本実施形態に係るカメラ装置１は、動画撮影時に、各カメラ装置１に固有のＩＣタグ情報を生成し、そのＩＣタグ情報と、動画ファイルと、を紐付けて保存する。カメラ装置１毎にＩＣタグ情報を異ならせることで、各カメラ装置１と動画ファイルとを対応付けることができる。また、本実施形態に係る記録システムＳにおいては、カメラ装置１毎に動画ファイルを統合させることもできる。
【００７８】
＜カメラ装置及び記録システムの動作＞
カメラ装置１を用いる際、ＱＡ担当者は、作業が行われる設定面Ｆ上に台座部１１を設置するとともに、アーム部１２を角度調整する。その後、ＱＡ担当者が電源スイッチ５を押下することで、光源２が発光するとともに、カメラ部３が動画撮影を開始する。カメラ部３が動画撮影している状態で、ＱＡ担当者は、手作業による製品評価を開始する。
【００７９】
その後、製品の不具合等が発見されると、ＱＡ担当者は、トリガスイッチ４を操作したり、所定音声を発声したり、クライアント端末１０１におけるボタンＢ１をクリック操作したりする。これにより、カメラ装置１において、カメラ部３による撮影内容を記録した動画ファイルが保存される。そうして保存された動画ファイルは、クライアント端末１０１へ送られる。
【００８０】
クライアント端末１０１へ送られた動画ファイルは、そのクライアント端末１０１を介してファイル名等が設定された状態で、ファイルサーバ１０２にアップロードされる。ここで、ＩＣタグ情報を動画ファイルに紐付けておくことで、複数のカメラ装置１のうちのどの装置において不具合が発生したかを特定することができるようになる。なお、クライアント端末１０１を介さずに、カメラ装置１からファイルサーバ１０２に動画ファイルをアップロードしてもよい。
【００８１】
ファイルサーバ１０２にアップロードされた動画ファイルは、必要に応じて、開発端末１０３にダウンロードされる。開発担当者は、開発端末１０３にダウンロードされた動画ファイルを再生することで、製品の不具合等を把握することができる。ここで、クライアント端末１０１を介して動画ファイルにメモ書き等を付け加えておくことで、ＱＡ担当者から開発担当者に情報を伝えることもできる。
【００８２】
＜カメラ装置及び記録システムの効果＞
以上説明したように、本実施形態に係るカメラ装置１は、台座部１１から延ばしたアーム部１２の先端１２ａに光源２を設けることで、いわゆる電気スタンドの如く機能すると同時に、その先端１２ａにカメラ部３を設けることで、電気スタンドと一体化されたカメラ装置としても機能する。
【００８３】
ここで、図２に示したように、光軸の照射方向Ａ２に沿ってカメラ部３の撮像光軸Ａ１を延ばすことで、カメラ部３の撮像範囲に向けて光を照射することができる。そのことで、その撮像範囲を照らしながら動画撮影することができ、作業を明瞭に記録することができるようになる。また、光源２とカメラ部３とを双方ともアーム部１２の先端１２ａに設けることで、光源２の照射範囲とカメラ部３の撮像範囲とのズレを低減することもできる。
【００８４】
さらに、図２に示したように、カメラ部３の近傍にトリガスイッチ４を設けるのではなく、設置面Ｆの近傍に配置される台座部１１にトリガスイッチ（具体的には、ボタンスイッチ４１）４を設けることで、アーム部１２を介してカメラ部３が位置調整された状態にあっても、カメラ部３の配置に関係なく、例えば手探りでトリガスイッチ４を操作することができるようになる。これにより、撮影制御に要する操作を容易かつ速やかに行うことができ、作業者の意思に応じて動画撮影をスムースに制御することができるようになる。
【００８５】
また、図４に示したマイクロフォン７を設けたことで、トリガスイッチ４を操作せずとも、作業者が発声することで動画撮影を制御することができる。これにより、より少ない動作で動画撮影を制御することができ、作業者の意思に応じて動画撮影をスムースに制御する上で有利になる。
【００８６】
また、図４に示したように、ＬＥＤ光源からなる光源２を用いることで、照射光の指向性が高くなる。図３に示したように、撮像光軸Ａ１を取り囲むように光源２を配置したことで、光源２の照射範囲とカメラ部３の撮像範囲とのズレをさらに抑制することができ、ひいては、カメラ部３の撮像範囲を作業者に視認させる上で有利になる。
【００８７】
また、図２に示したように、板状に構成された台座部１１の上面にボタンスイッチ４１を配置することで、手探りでトリガスイッチ４を操作するのが容易になる。これにより、作業者の意思に応じて動画撮影をスムースに制御する上で有利になる。
【００８８】
また、このように構成した場合、台座部１１の上方からボタンスイッチ４１を押下することになるため、例えば台座部１１の側面にボタンスイッチ４１を配置した構成と比較して、ボタンスイッチ４１を押下したときに台座部１１が移動し難くなる。これにより、動画撮影のブレを抑制することができる。
【００８９】
また、図２に示したように、使用者の脚部によって操作されるようにトリガスイッチ（具体的には、ペダルスイッチ４２）４を構成することで、例えば両手で作業を行っている状態であっても、その作業を中断することなくトリガスイッチ４を操作することができる。
【００９０】
また、トリガスイッチ４としてのボタンスイッチ４１又はペダルスイッチ４２が操作されるたびに、カメラ部３による撮影内容を記録した動画ファイルを保存することで、その撮影内容を容易に管理することができるようになる。
【００９１】
また、図２に示したクライアント端末１０１を介して動画撮影を制御させることができるため、カメラ装置１の使い勝手を向上させることができる。
【００９２】
＜カメラ装置の変形例＞
続いて、カメラ装置１の変形例について説明する。以下、変形例に係るカメラ装置１に符号「１’」を付す。変形例に係るカメラ装置１’の構成要素のうち、前記カメラ装置１に対応する構成要素には、「’」付きの符号を与えて説明する。そうした要素については、説明を適宜省略する。
【００９３】
図６は、変形例に係るカメラ装置１’を示す図２対応図である。また、図７は、カメラ装置１’に係るアーム部１２’の先端１２ａ’を例示する図３対応図である。図６に示すように、変形例に係るカメラ装置１’は、光源２’に電源を投入するための電源スイッチ５’に加え、カメラ部３’に電源を投入するためのカメラスイッチ９を備えている。すなわち、ＱＡ担当者がカメラスイッチ９を押下することで、カメラ部３’による動画撮影を開始させることができる。
【００９４】
また、変形例に係るカメラ装置１’は、台座部１１’に設けられかつＱＡ担当者（使用者）による入力を受け付けるタブレット端末１０をさらに備えている。変形例に係るカメラ装置１’は、そのタブレット端末１０への入力に基づいて、動画ファイル毎に情報を紐付けることができる。タブレット端末１０は、変形例における「情報入力部」の例示である。
【００９５】
具体的に、タブレット端末１０は、ペン状のスタイラス１０ａ備えたポインティングデバイスとして構成されており、スタイラス１０ａを介して情報を入力することができる。
【００９６】
変形例に係るカメラ装置１’は、タブレット端末１０を介することで、動画ファイルのサムネイル画像上に製品不良の内容を記載したり、各動画ファイルのファイル名を変更したりすることができる。これにより、動画ファイルの使い勝手を向上させることができる。
【００９７】
《他の実施形態》
前記実施形態では、トリガスイッチ４として、ボタンスイッチ４１と、ペダルスイッチ４２と、を両方とも備えた構成を例示したが、本開示は、そうした構成には限定されない。ボタンスイッチ４１と、スイッチ４２と、の少なくとも一方を備えた構成とすればよい。
【００９８】
また、前記実施形態では、カメラ装置１毎にカメラ部３を１つずつ設けた構成について説明したが、本開示は、そうした構成には限定されない。カメラ装置１毎にカメラ部３を複数個ずつ設けてもよい。この場合、いわゆるマルチカメラ構成となり、ＱＡ担当者の手の平や指に隠れた部分についても、動画撮影を行うことができるようになる。
【００９９】
また、前記実施形態では、カメラ装置１は、電源ケーブルを介して外部電源と接続されていたが、例えば、カメラ装置１に充電機能を付与してもよい。このように構成することで、例えばカメラ装置１が十分に充電された状態にあっては、電源ケーブルを外した状態で用いることができるようになる。これにより、カメラ装置１を自由に持ち運べるようになり、また、カメラ装置１、特に台座部１１を容易に設置することができるようになる。
【符号の説明】
【０１００】
１，１’          電気スタンド型カメラ装置
１１，１１’      台座部
１２，１２’      アーム部
１２ａ，１２ａ’  アーム部の先端
２，２’          光源
３，３’          カメラ部
４，４’          トリガスイッチ
４１，４１’      ボタンスイッチ（トリガスイッチ）
４２              ペダルスイッチ（トリガスイッチ）
７                マイクロフォン（音声入力部）
１０              タブレット端末（情報入力部）
１００            制御部
１０１            クライアント端末（外部端末）
Ａ１，Ａ１’      撮像光軸
Ａ２，Ａ２’      照射方向
Ｆ                設置面
Ｓ                記録システム
【図１】
0006940079.tif 000002
【図２】
0006940079.tif 000003
【図３】
0006940079.tif 000004
【図４】
0006940079.tif 000005
【図５】
0006940079.tif 000006
【図６】
0006940079.tif 000007
【図７】
0006940079.tif 000008